(57)【要約】【課題】操作者の負担を軽減して作業性を向上し、車外でベッセルを目視しながら操作できるように操作性を向上して現場作業を円滑にし、さらにドライバー以外の現場作業者も間違いなく容易にベッセル等の傾倒装置の操作ができる操作スイッチを提供すること。【解決手段】キャブをチルトするキャブチルト装置、ダンプベッセルを昇降する昇降装置、または塵芥車の荷台を傾倒する塵芥荷台傾倒装置を含む傾倒装置の操作スイッチにおいて、レバー式のスイッチ動作部４１を有し、該スイッチ動作部４１の操作方向および操作角度がベッセル（傾倒装置）３の車体に対する傾倒方向および傾倒角度と同等に設定されることを特徴とする。【選択図】図１
2009154782.tif 000002
【特許請求の範囲】
【請求項１】
キャブをチルトするキャブチルト装置、ダンプベッセルを昇降するベッセル昇降装置、または塵芥車の荷台を傾倒する塵芥荷台傾倒装置を操作する車両用傾倒装置の操作スイッチにおいて、
レバー式のスイッチ動作部を有し、該スイッチ動作部の操作方向および操作角度が前記傾倒装置の車体に対する傾倒方向および傾倒角度と同等になるように揃えて設定されることを特徴とする車両用傾倒装置の操作スイッチ。
【請求項２】
前記スイッチ動作部は回動後に操作者の手を放しても所定の操作角度の出力信号を保持する保持機構を備えていることを特徴とする請求項１記載の車両用傾倒装置の操作スイッチ。
【請求項３】
前記スイッチ動作部は回動後に手を放すと傾倒装置が傾倒途中の位置で停止される自動停止機構を備えていることを特徴とする請求項１記載の車両用傾倒装置の操作スイッチ。
【請求項４】
キャブチルト装置用の前記スイッチ動作部と、ダンプベッセル昇降装置用の前記スイッチ動作部とが操作パネル上に並設され、両スイッチ動作部はレバー操作方向が操作パネル中央部からキャブの傾倒方向とベッセルの傾倒方向と同方向にそれぞれ外側に回動するように配置されていることを特徴とする請求項１記載の車両用傾倒装置の操作スイッチ。
【請求項５】
前記スイッチ動作部の操作角度に応じた前記傾倒装置の傾倒状態を示した傾倒マークを、スイッチ動作部の周囲に表記したことを特徴とする請求項１記載の車両用傾倒装置の操作スイッチ。
【発明の詳細な説明】
【技術分野】
【０００１】
本発明は、キャブをチルトするキャブチルト装置、ダンプベッセルを昇降するベッセル昇降装置、または塵芥車の荷台を傾倒する塵芥荷台傾倒装置等の車両に装着される車両用傾倒装置の操作スイッチに関し、特に、操作しやすく安全な操作スイッチに関するものである。
【背景技術】
【０００２】
作業車両におけるダンプベッセルの昇降、キャブトラックのキャブチルト、または塵芥車の荷台を傾倒する塵芥荷台傾倒装置等の車両に装着されて昇降や傾倒を行う装置を作動させるための操作スイッチは、例えば、ダンプベッセルについては、従来から図７、８に示すように、ＰＴＯ（パワーテイクオフ装置）一体型レバータイプのものが知られており、この場合には、運転席の近傍に設置された操作レバー０１に設けられたＰＴＯスイッチをＯＮにして、ＰＴＯ０２の接続歯車を動力取り出し側に移動してエンジン０３から変速機０４へ伝達されるエンジンの駆動力を油圧ポンプ０５の駆動軸に伝達する。
【０００３】
そして、操作レバー０１を上げ方向に操作すると取り出された動力によって駆動される油圧ポンプ０５から吐出される油圧が、油圧制御バルブ（不図示）を介して油圧シリンダ０６の伸長側に供給され油圧シリンダ０６を伸長動作させ、ベッセル０７を上昇させて積荷が滑り落ちるようになるまで傾斜させる。
積荷下ろしが終了後、操作レバー０１を下げ方向に戻す操作をすると、油圧制御バルブがベッセル下降側へ切り換えられ、油圧ポンプ０５からの圧油を油圧シリンダ０６の短縮側に供給させるとともに伸長側の圧油をオイルリザーバ０８に排出させて、油圧シリンダ０６を短縮させて、ベッセル０７を下降させて、水平位置に伏倒する。
【０００４】
また、図９のように電気式リモコンタイプのものも知られており、この場合には、リモコンボックス０１０には、上げ方向と下げ方向との操作ボタン０１１、０１２が２つ設けられており、前記した操作レバー０１に換えて、操作者が操作ボタン０１１、０１２を運転席、または車外の作業現場で操作できるようになっている。
【０００５】
一方、ダンプベッセルを昇降するための操作スイッチについては、特許文献１（特開平９−１０４２７９号公報）に一例が示されており、図１０に示すように、ダンプ制御スイッチ０１５の操作つまみ０１６を、指示位置「上（Ｆｕｌｌ  Ｓｐｅｅｄ）」、「上（１／３Ｓｐｅｅｄ）」、「下（Ｆｕｌｌ  Ｓｐｅｅｄ）」、「下（１／３Ｓｐｅｅｄ）」に位置にさせて、ベッセルの傾倒時の昇降速度を切り換えることができる技術が示されている。
【特許文献１】特開平９−１０４２７９号公報
【発明の開示】
【発明が解決しようとする課題】
【０００６】
前記したように従来のＰＴＯ（パワーテイクオフ装置）一体型レバータイプの操作レバー０１のものや、電気式リモコンタイプのリモコンボックス０１０のものにおいては、操作レバー０１の操作方向や操作ボタン０１１、０１２の選択において、作業に熟練したものでないと、操作レバー０１の操作方向や操作ボタン０１１、０１２の位置を確認しながら操作しなければならないため、ベッセルの動きを見ながらの操作や、ドライバー以外の現場作業者が間違いなく操作することが難しくなっている。そのため、ドライバー等の常に作業をしている者でない場合には操作レバー０１や操作ボタン０１１、０１２の作業負担が増大する。
【０００７】
また、前記特許文献１には、ダンプ制御スイッチ０１５の操作つまみ０１６を上、下の方向に分けて、ベッセルの下降を下方向に操作し、上昇を上方向に操作するようになっているが、単に上下の方向を分けただけであり、実際のベッセルの傾倒方向と対応した操作つまみの動きではなく、さらにベッセルの傾倒角度と操作つまみ０１６の回転角度とが対応するようにはなっていない。従って、前記したようなベッセルの動きを見ながらの操作や、ドライバー以外の現場作業者等の操作つまみ０１６の操作に不慣れな者にとって、作業負担が大である。
【０００８】
そこで、本発明は、このような背景に鑑みてなされたものであり、操作者の負担を軽減して作業性を向上し、車外でベッセルを目視しながら操作できるように操作性を向上して現場作業を円滑にし、さらにドライバー以外の現場作業者も間違いなく容易にダンプベッセル等の車両用傾倒装置を操作できる操作スイッチを提供することを課題とする。
【課題を解決するための手段】
【０００９】
前記課題を解決するため、本発明にかかる車両用傾倒装置の操作スイッチは、キャブをチルトするキャブチルト装置、ダンプベッセルを昇降するベッセル昇降装置、または塵芥車の荷台を傾倒する塵芥荷台傾倒装置を操作する車両用傾倒装置の操作スイッチにおいて、レバー式のスイッチ動作部を有し、該スイッチ動作部の操作方向および操作角度が前記傾倒装置の車体に対する傾倒方向および傾倒角度と同等になるように揃えて設定されることを特徴とする。
【００１０】
かかる発明によれば、レバー式のスイッチ動作部の操作方向および操作角度を実際の傾倒装置の車体に対する傾倒方向および傾倒角度と同等になるように揃えて設定するため、レバー式のスイッチ動作部の操作角度と等しい位置で傾倒装置（ベッセル、キャブ、塵芥荷台等）を停止できる。
このため、操作者は上昇、下降の操作毎に操作レバーや操作ボタンの位置を確認しなくても上昇、下降、さらに任意の角度での停止の操作が容易になり、操作者の操作負担を軽減して作業性を向上し、さらに、車外でベッセル等の傾倒装置を目視しながら簡単に操作できるようになり現場での操作性が向上し、さらにドライバー以外の現場作業者も間違いなく容易且つ安全にベッセル等の傾倒装置を操作ができるようになる。
【００１１】
好ましくは、前記スイッチ動作部は回動後に操作者の手を放しても所定の操作角度の出力信号を保持する保持機構を備えているとよく、かかる構成によって、操作者がベッセル等の傾倒装置を最も上がった位置あるいは最も下がった位置まで、一度回しきると、その位置で手を放しても自動的にベッセル等は上がりきるか、または下がりきるので、スイッチ動作部の操作が簡単になる。
【００１２】
また、好ましくは、前記スイッチ動作部は回動後に手を放すと傾倒装置が傾倒途中の位置で動きが停止される自動停止機構を備えているとよく、かかる構成によって、操作者がベッセル等の傾倒装置を上げている途中の位置または、下げている途中の位置で停止したいときには、スイッチ動作部から手を放せばよいため、傾倒途中の位置での停止を容易に行うことができる。
【００１３】
また、好ましくは、キャブチルト装置用の前記スイッチ動作部と、ダンプベッセル昇降装置用の前記スイッチ動作部とが操作パネル上に並設され、両スイッチ動作部はレバー操作方向が操作パネル中央部からキャブの傾倒方向とベッセルの傾倒方向と同方向にそれぞれ外側に回動するように配置されているとよく、かかる構成によれば、それぞれのスイッチ動作部が、実際のキャブチルトの傾倒方向と、ベッセルの傾倒方向と対応しているため、それぞれのスイッチ動作部を併設しても操作を誤ることがなく、さらに、操作スイッチがまとめられることで、ドライバーにとって操作しやすくなるとともにレイアウトする上でも設計の自由度が向上する。
【００１４】
さらに、好ましくは、前記スイッチ動作部の操作角度に応じた前記傾倒装置の傾倒状態を示した傾倒マークを、スイッチ動作部の周囲に表記するとよく、かかる構成によれば、運転室内での操作時に実際の動きを連想しやすいため、実際の動きとの連動を意識した操作ができて操作性および安全性を向上できる。
【発明の効果】
【００１５】
本発明によれば、スイッチ動作部の操作方向および操作角度を実際の傾倒装置の車体に対する傾倒方向および傾倒角度と同等になるようにそろえて設定されているので、操作者は上昇、下降の操作毎に操作レバーや操作ボタンの位置を確認しなくても上昇、下降、さらに任意の角度での停止の操作が容易になり、操作者の操作負担を軽減して作業性を向上し、さらに、車外でベッセル等の傾倒装置を目視しながら簡単に操作できるようになり現場での操作性が向上し、さらにドライバー以外の現場作業者も間違いなく容易且つ安全にベッセル等の傾倒装置を操作可能な操作スイッチを提供できる。
【発明を実施するための最良の形態】
【００１６】
以下、図面を参照して本発明の好適な実施の形態を例示的に詳しく説明する。但しこの実施の形態に記載されている構成部品の寸法、材質、形状、その相対的配置等は特に特定的な記載がない限りは、この発明の範囲をそれに限定する趣旨ではなく、単なる説明例に過ぎない。
【００１７】
（第１実施形態）
図１〜図５（ａ）を参照して、本発明に係る傾倒装置の操作スイッチをダンプベッセルに適応した場合の第１実施形態について説明する。
図１はダンプカーのベッセル傾倒制御装置の全体構成を示す系統図である。車両１はダンプトラックであり、ダンプベッセル（ベッセル）３およびチルトキャブ（キャブ）５を備えている。ベッセル３は油圧シリンダ７によって、ベッセル３の後端部のベッセルヒンジ９を中心として傾倒するようになっている。また、キャブ５もキャブ前方のキャブヒンジ１１を中心に図示しない油圧シリンダによって車両前方に傾倒するようになっている。
【００１８】
エンジン１３の出力はクラッチ１５を介して変速機１７に伝達され、その伝達経路には電動モータ１９が直列に接続されて変速機１７へのエンジン１３からの動力を補助するようになっている。そして、変速機１７からの出力によって後輪２３が駆動されるようになっている。
また、変速機１７にはＰＴＯ（パワーテイクオフ装置）２４が装着されており、ベッセル３やキャブ５を傾倒するときには、前記クラッチ１５を切断してエンジン１３からの出力を断ち、電動モータ１９を駆動すると共に、前記ＰＴＯ２４を作動させる。そして前記電動モータ１９の駆動力を油圧ポンプ２５に伝達可能にして、油圧ポンプ２５を駆動する。この電動モータ１９はバッテリー２７およびインバータ２９によって駆動されるようになっており、さらに制御手段３１からの信号によって駆動制御される。
【００１９】
また、エンジン１３の出力制御、クラッチ１５の断接、さらにＰＴＯ２４のＯＮ、ＯＦＦが制御手段３１からの信号によって制御され、走行時とベッセル３、キャブ５の傾倒時とにおけるエンジン１３の出力、クラッチ１５の断接、および電動モータ１９の出力が制御される。
【００２０】
ＰＴＯ２４によって電動モータ１９の駆動力が油圧ポンプ２５に伝達されると、油圧ポンプ２５が作動して、油圧ポンプ２５から吐出される圧油を、油圧切換バルブ３３を介して油圧シリンダ７へ供給する。
油圧切換バルブ３３の切換えは制御手段３１からの切換え信号によって切換えられ、油圧シリンダ７の伸張時には、油圧シリンダ７の伸張側に供給させてベッセル３の前側を上昇させて積荷が滑り落ちる上限の上昇位置まで傾倒させる。そして逆に、油圧シリンダ７の短縮時には、油圧シリンダ７の圧縮側に供給させるとともに伸張側の圧油をオイルリザーバ３５へ排出させて油圧シリンダ７を短縮させ、ベッセル３を水平位置に伏倒する。
【００２１】
この油圧シリンダ７の伸張と短縮は、ベッセル操作スイッチ３７からの信号に基づいて行われる。
ベッセル操作スイッチ３７は、図２、図３に示すように、操作パネル３９にレバー式のベッセルスイッチ動作部（スイッチ動作部）４１と、さらに、非常時に傾倒を強制的に停止する非常停止ボタン４３と、操作者を確認する指紋認証センサー４５とを有して構成されている。そして、図２のように、運転室内のドア内張り部に設置されているが、車両の外側の図１に示すようなキャブ５とベッセル３との間の部分に設置してもよい。
【００２２】
レバー式のスイッチ動作部４１は、図３に示すようにスイッチ動作部４１を指でつまんで図３の矢印で示す方向に回動出来るように、しかも実際のベッセル３と同等の傾倒をするようにレバーの中央部より後方部にレバーの回動支点が設けられている。
そして、該スイッチ動作部４１の操作方向を実際のベッセル３の傾倒方向と同等にあわせてある。すなわち、スイッチ動作部４１が水平状態のときには実際のベッセル３も水平状態にあり、また、スイッチ動作部４１が最大傾倒のときには実際のベッセル３も最大傾倒位置にあるように対応した傾倒要求信号を出力するようになっている。
【００２３】
また、図３のスイッチ動作部４１の先端部分の操作パネル３９にはベッセルマーク（傾倒マーク）４７が表記されていて、水平状態の位置のベッセルマーク４７ａはベッセル３が水平状態の絵であり、最大傾斜状態のベッセルマーク４７ｂはベッセル３が最大の傾斜状態の絵となっている。この最大の傾斜状態のマークの詳細を図５（ａ）に示す。このように実際のベッセル３の動きがベッセルマーク４７によって表記されているので、運転室内での操作時に、ベッセル３の実際の動きを連想しやすく、実際の動きとの連動を意識した操作ができて操作性および安全性を向上できる。
【００２４】
また、スイッチ動作部４１は、可変抵抗器のように回動した位置の傾倒角度信号を発生する機構となっており、スイッチ動作部４１を回動して所定の位置で手を放しても、スイッチ動作部４１を元の位置に戻さない限りその位置の信号が保持されるような保持機構を備えている。従って、スイッチ動作部を最初に回動した傾倒位置まで自動的に傾倒されるので、一度回しきると、その位置で手を放しても自動的にベッセル３は上がりきるか、または下がりきるので、スイッチ動作部４１の操作が簡単になる。
なお、多段階に傾倒角度信号が発生するようにしても、また連続的に傾倒角度信号が発生するようにしてもよい。
【００２５】
次に、スイッチ動作部４１からの信号によってベッセル３を傾倒させる制御手段３１について、図４のフロー図を参照して説明する。
まずステップＳ１で制御を開始すると、ステップＳ２で車室内に設置されたダンプメインスイッチ（不図示）をＯＮすると、停車時、駐車ブレーキＯＮ等の作動条件を基に、クラッチ１５が遮断され、電動モータ１９が駆動され、ＰＴＯ２４が作動して油圧ポンプ２５を電動モータ１９で駆動する。次に、ステップＳ３でセキュリティチェックが行われる。このセキュリティチェックは、指紋認証によって行い指紋認証センサー４５の部分に操作者の指を接触させることで行われる。このセキュリティチェックはベッセル操作スイッチ３７を車外に設置された場合に、ドライバーや操作許可を得ている者以外が誤って操作して誤作動を起こす危険を防止している。
なお、セキュリティチェックについては、図示しないがチェック解除手段が別途設けられており、操作の度にチェックする煩雑さを解消するようになっている。
【００２６】
次に、ステップＳ４で、ベッセル３の傾斜要求角度スイッチ、すなわちベッセル操作スイッチ３７のスイッチ動作部４１からの信号があるかを判定し、ある場合にはステップＳ５で、要求傾斜角度信号を読み込むとともに、ステップＳ６でベッセル３の後端部のベッセルヒンジ９に設置されたベッセル回動角センサー４８から実際の角度を読み込む。
【００２７】
その後、ステップＳ７でスイッチ動作部４１からの要求角度と、実際のベッセル３の傾斜角度が一致しているかどうかを判定し、一致していればステップＳ８でオイルポンプの作動を停止してステップＳ９で終了する。
【００２８】
一方、一致してなければ、ステップＳ１０でスイッチからの要求角度に対して実際のベッセル３の傾斜角度が小さいか否かが判定され、小さい場合にはステップＳ１１に進んで油圧切換バルブ３３を切換えて油圧ポンプ２５からの圧油を油圧シリンダ７の伸張側に供給して、ベッセル３を上昇させるように制御し、また、大きい場合にはステップＳ１２に進んで油圧切換バルブ３３を切換えて油圧ポンプ２５からの圧油を油圧シリンダ７の短縮側に供給して、ベッセル３を下降させるように制御する。
【００２９】
そして再度ステップＳ４に戻ってスイッチ動作部４１からの傾斜角度信号の有無を確認して、信号がある場合にはステップＳ５、Ｓ６で要求傾斜角度と実際のベッセル３の傾斜角度との比較を行って前記制御を繰り返して要求角度に一致するまで油圧ポンプ２５の作動が制御される。
【００３０】
以上のように構成された第１実施形態によれば、レバー式のスイッチ動作部４１の操作方向および操作角度を実際のベッセル３の車体に対する傾倒方向および傾倒角度と同等になるようにそろえて設定されているので、このスイッチ動作部４１の操作角度と等しい位置でベッセル３を停止可能になる。
このため、操作者は上昇、下降の操作毎に操作レバーや操作ボタンの位置を目視して確認しなくても上昇、下降、さらに任意の角度での停止の操作が容易になり、操作者の操作負担を軽減して作業性を向上し、さらに、車外でベッセル３を目視しながら簡単に操作できるようになり現場での操作性が向上し、さらにドライバー以外の現場作業者も間違いなく容易且つ安全にベッセル３を操作ができるようになる。
【００３１】
また、スイッチ動作部４１は回動後に操作者の手を放しても所定の操作角度の出力信号を保持する保持機構を備えているので、操作者がベッセル３の傾倒装置を最も上がった位置あるいは最も下がった位置まで、一度回しきると、その位置で手を放しても自動的にベッセル３は上がりきるか、または下がりきるので、スイッチ動作部４１の操作が簡単になる。
【００３２】
（第２実施形態）
次に、スイッチ動作部４１の変形例としての第２実施形態を説明する。
第１実施形態ではスイッチ動作部４１は、スイッチ動作部４１を回動して所定の位置で手を放しても、スイッチ動作部４１を元の位置に戻さない限りその位置の信号が保持されるような保持機構を備えているのに対して、第２実施形態では、目標とする傾倒位置に対応する角度までスイッチ動作部を回動し、操作者が手を放すとベッセル３が傾倒途中の位置で停止される自動停止機構を備えている。
【００３３】
すなわち、操作者が手を放すと、その位置で傾倒角度信号の出力がなくなり、図４のフロー図で説明すると、ステップＳ４での要求角度信号がないため、今まで制御されていた状態で停止され、ステップ４以降の処理が停止する。
従って、目標とする傾倒位置に対応する操作角度でスイッチ動作部４１を保持する必要があり、第１実施形態に比べて操作が煩わしい点はあるが、操作者がベッセル３を上げている途中の位置、または、下げている途中の位置で停止したいときには、スイッチ動作部４１から手を放せばよいため、傾倒途中の任意の位置での停止を容易に行うことができる。
【００３４】
スイッチ動作部４１の具体的な機構は、スイッチ動作部４１が回動操作と押付け操作との２アクション機構からなっていて、スイッチ動作部４１を所定角度回動してその後スイッチ動作部４１を押し付けている間はその回動角度の傾倒信号が出力され、押しつけ状態から手を放すと出力信号がなくなるように構成されている。
【００３５】
以上の第２実施形態によれば、操作者がベッセル３を上昇している途中の位置または、下降している途中の位置で停止したいときには、スイッチ動作部４１から手を放せばよいため、傾倒途中の位置での停止を容易に行うことができる。
【００３６】
（第３実施形態）
次に、キャブチルト装置がさらに追加されている場合を第３実施形態として説明する。
図６に示すように、ベッセルキャブ操作スイッチ４９は、キャブチルト装置用のキャブチルトスイッチ動作部（スイッチ動作部）５０と、ダンプベッセル昇降装置用の前記ベッセルスイッチ動作部４１とが操作パネル５２上に並設されて構成されている。この両スイッチ動作部４１、５０は、それぞれ操作パネル５２中央部からキャブ５の傾倒方向とベッセル３の傾倒方向と同方向にそれぞれ外側に回動するように配置されている。また、キャブチルトの制御手段やキャブチルトスイッチ動作部５０は、第１実施形態のベッセル３を対象として説明した制御手段３１およびベッセルスイッチ動作部４１と同様の制御および構成からなっている。
【００３７】
図６において、向かって左側がキャブチルトスイッチ動作部５０であり、右側がベッセルスイッチ動作部４１であり、中央部には非常停止ボタン４３が設置され、その下方には指紋認証センサー４５が設けられている。
【００３８】
右側のベッセルスイッチ動作部４１は、前記第１実施形態の説明のように実際のベッセル３の動きと対応した動きができるようにレバーの後側（図５の右側）が回動支点となるように支持され、左側のキャブチルトスイッチ動作部５０も同様に、実際のキャブのチルト方向と同様の回動をするようにレバーの前側（図５の左側）が回動支点となって回動するようになっている。また、設置場所は車両の外側の図１に示すようなキャブ５とベッセル３との間の部分に設置される。
【００３９】
そしてまた、キャブチルトスイッチ動作部５０の先端部分の操作パネル５２にはキャブマーク（傾倒マーク）５４が表記されていて、水平状態の位置のキャブマーク５４ａは、水平位置のベッセルマーク４７ａと共用して、最大傾斜状態のキャブマーク５４ｂはキャブ５が最大の傾斜状態の絵となっている。この最大の傾斜状態の絵を図５（ｂ）に示す。このように実際のキャブ５の動きがマークによって記載されているので、運転室内での操作時に実際の動きを連想しやすく、実際の動きとの連動を意識した操作ができて操作性および安全性を向上できる。
【００４０】
また、キャブチルトスイッチ動作部５０と、ベッセルスイッチ動作部４１とが操作パネル５２上に並設され、両スイッチ動作部４１、５０はレバー操作方向が操作パネル中央部から外側に回動するように配置され、さらにそれぞれのスイッチ動作部４１、５０が、実際のキャブチルトの傾倒方向と、ベッセルの傾倒方向と対応しているため、スイッチ動作部４１、５０を併設しても操作を誤ることがなく、さらに、操作スイッチがまとめられることで、ドライバーにとって操作しやすくなるとともにレイアウトする上でも設計の自由度が向上する。
【産業上の利用可能性】
【００４１】
本発明によれば、操作者の負担を軽減して作業性を向上し、車外でベッセルを目視しながら操作できるように操作性を向上して現場作業を円滑にし、さらにドライバー以外の現場作業者も間違いなく容易にベッセル等の傾倒装置の操作ができる操作スイッチを提供できるので、キャブをチルトするキャブチルト装置、ダンプベッセルを昇降する昇降装置、または塵芥車の荷台を傾倒する塵芥荷台傾倒装置等の車両用傾倒装置に設けられる操作スイッチへの適用に際して有益である。
【図面の簡単な説明】
【００４２】
【図１】ダンプカーのベッセル傾倒制御装置の全体構成を示す系統図である。
【図２】ベッセル操作スイッチの車室内装着状態を示す斜視図である。
【図３】ベッセル操作スイッチの拡大正面図である。
【図４】ベッセル傾倒制御手段のフロー図である。
【図５】（ａ）は、最大傾倒時のベッセルマークを示し、（ｂ）は、最大傾倒時のキャブマークを示す。
【図６】第３実施形態を示す操作スイッチの拡大正面図である。
【図７】従来技術を示す説明図面であり、ダンプカーのベッセル傾倒制御装置の全体構成を示す。
【図８】従来技術の傾倒装置の操作スイッチを示す。
【図９】従来技術の傾倒装置の操作スイッチを示す。
【図１０】従来技術の傾倒装置の操作スイッチを示す。
【符号の説明】
【００４３】
３          ベッセル
５          キャブ
７          油圧シリンダ
１３        エンジン
１５        クラッチ
１７        変速機
１９        電動モータ
２４        ＰＴＯ
２５        油圧ポンプ
３１        制御手段
３７        ベッセル操作スイッチ
３９、５２  操作パネル
４１        ベッセルスイッチ動作部（スイッチ動作部）
４３        非常停止ボタン
４５        指紋認証センサー
４７        ベッセルマーク（傾倒マーク）
４９        ベッセルキャブ操作スイッチ
５０        キャブチルトスイッチ動作部（スイッチ動作部）
５４        キャブマーク（傾倒マーク）
【図１】
2009154782.tif 000003
【図２】
2009154782.tif 000004
【図３】
2009154782.tif 000005
【図４】
2009154782.tif 000006
【図５】
2009154782.tif 000007
【図６】
2009154782.tif 000008
【図７】
2009154782.tif 000009
【図８】
2009154782.tif 000010
【図９】
2009154782.tif 000011
【図１０】
2009154782.tif 000012